【手続補正書】
【提出日】平成22年5月10日(2010.5.10)
【手続補正１】
【補正対象書類名】明細書
【補正対象項目名】特許請求の範囲
【補正方法】変更
【補正の内容】
【特許請求の範囲】
【請求項１】
参加者間で、取引パラメータデータを含む、証券取引に関連する取引メッセージで通信される、証券を売買するための注文のマッチングを監視するためのコンピュータシステムであって、
取引メッセージを受信するためのハードウェアインタフェースと、
前記ハードウェアインタフェースと通信するように構成されている、コンピュータで実現される抽出部であって、取引メッセージを受信し、前記取引メッセージの前記取引パラメータデータに基づいて取引パラメータ値を抽出するための、コンピュータで実現される抽出部と、
それぞれがコンピュータによって読み書き可能な複数のメモリと、
前記複数のメモリと前記コンピュータで実現される抽出部と通信するように構成されている、コンピュータで実現される書込ユニットであって、前記複数のメモリそれぞれに対する開始時刻と停止時刻の間の時間中に抽出される取引パラメータ値を累積するために、前記複数のメモリを周期的にかつ順次アドレス指定するための、コンピュータで実現される書込ユニットと、
前記複数のメモリと通信するように構成されている、コンピュータで実現される読出ユニットであって、累積取引パラメータ値を前記複数のメモリから読み出すための、コンピュータで実現される読出ユニットと、
前記読出ユニットと通信するように構成されている、コンピュータで実現される判定部であって、前記複数のメモリから読み出された前記累積取引パラメータ値（群）を利用することによって直近の取引パラメータを判定するための、コンピュータで実現される判定部と
を備えることを特徴とするコンピュータシステム。
【請求項２】
参加者間で、取引パラメータデータを含む取引メッセージで通信される、証券を売買するための注文のマッチングを監視するためのコンピュータシステムであって、
第１の開始時刻から第１の終了時刻までの証券取引パラメータ値を記憶するための、コンピュータで読み書き可能な第１のメモリと、
第２の開始時刻から第２の終了時刻までの証券取引パラメータ値を記憶するための、コンピュータで読み書き可能な第２のメモリであって、前記第２の開始時刻は前記第１の開始時刻よりも遅れて発生し、かつ、前記第２の終了時刻は、前記第１の終了時刻よりも遅れて発生するようになっている第２のメモリと、
前記取引メッセージを受信するためのハードウェアインタフェースと、
プロセッサと、を備え、
前記プロセッサは、
前記ハードウェアインタフェースを介して前記取引メッセージを受信する際に、前記取引メッセージ内の前記証券取引パラメータデータに基づいて証券取引パラメータ値を判定し、
周期的に、かつ順次、前記第１のメモリと前記第２のメモリとをアドレス指定し、
前記証券取引パラメータ値を、前記第１のメモリと前記第２のメモリの内のアドレス指定されているメモリに追加し、それによって、前記アドレス指定されているメモリの累積証券取引パラメータ値を作成し、
前記第１のメモリと前記第２のメモリとのうちの少なくとも一方のメモリから得られる前記累積証券取引パラメータ値を利用することによって直近の証券取引パラメータを判定し、
前記直近の証券取引パラメータを使用して、証券の注文のマッチングを監視することによって取引対象の証券の価格の変化に関係する取引に対するリスク・エクスポージャを削減する
ようにプログラムされている
ことを特徴とするコンピュータシステム。
【請求項３】
前記プロセッサは、
時間間隔内の第１の証券取引メッセージの受信の際に、前記証券取引パラメータ値を追加することによって前記メモリ内の古い累積取引パラメータ値を上書きし、
前記証券取引パラメータ値を、アクセス可能な前記メモリに順次追加するようにプログラムされている
ことを特徴とする請求項２に記載のコンピュータシステム。
【請求項４】
評価装置をさらに備え、
前記評価装置は、
演算子の使用によって、しきい値を考慮して前記直近の証券取引パラメータを評価し、
前記評価に基づいて前記直近の証券取引パラメータが基準を満足する場合、監視アクションを実行するようにプログラムされている
ことを特徴とする請求項２に記載のコンピュータシステム。
【請求項５】
前記監視アクションは、特定の参加者に関する証券の注文の取消である
ことを特徴とする請求項４に記載のコンピュータシステム。
【請求項６】
前記第２の開始時刻は、前記第１の終了時刻と同時に発生する
ことを特徴とする請求項２に記載のコンピュータシステム。
【請求項７】
前記第１の開始時刻と第１の終了時刻との間の時間は、３０秒未満である
ことを特徴とする請求項２に記載のコンピュータシステム。
【請求項８】
前記第２の開始時刻と第２の終了時刻との間の時間は、３０秒未満である
ことを特徴とする請求項２に記載のコンピュータシステム。
【請求項９】
コンピュータで読み書き可能な２からｎ個のメモリを備え、個々のメモリは、開始時刻から終了時刻まで記憶用としてアクセス可能であり、（ｎ−１）番目の開始時刻後にｎ番目の開始時刻が発生し、次いで、（ｎ−１）番目の終了時刻後にｎ番目の終了時刻が発生する
ことを特徴とする請求項２に記載のコンピュータシステム。
【請求項１０】
複数のしきい値を備え、
前記プロセッサは、前記直近の証券取引パラメータが個々のしきい値を超える場合、特定の監視アクションを実行するようにさらにプログラムされている
ことを特徴とする請求項４に記載のコンピュータシステム。
【請求項１１】
前記監視アクションは、取消アクションであり、
前記取消アクションは、前記注文を削除する、前記注文を非作動化する、のいずれかによって実行される
ことを特徴とする請求項４に記載のコンピュータシステム。
【請求項１２】
前記プロセッサは、取引が発生する場合、更に、前記第１のメモリ及び前記第２のメモリにアクセスするようにプログラムされている
ことを特徴とする請求項２に記載のコンピュータシステム。
【請求項１３】
前記プロセッサは、更に、個々の参加者または１グループの参加者に対する、個々の証券または１グループの証券から得られる直近の証券取引パラメータを累積するようにさらにプログラムされている
ことを特徴とする請求項２に記載のコンピュータシステム。
【請求項１４】
コンピュータシステムを備える
ことを特徴とする請求項１に記載のネットワーク装置。
【請求項１５】
コンピュータで実現される、電子取引装置であって、
証券を売り買いするための証券取引注文の記録を記憶するための電子的に読み書き可能なオーダー・ブック・メモリを備える市場と、
証券取引注文のマッチングを行うためのマッチング回路と、
電子的に読み書き可能なメンバ・データベースと、
前記電子取引装置と関連付けられているメンバへ情報を配信するための、コンピュータで実現される情報配信モジュールと、
注文のマッチングを前記電子取引装置において監視するための、コンピュータで実現される取引監視用モジュールと、を備え、
前記注文のマッチングは、取引パラメータデータを含む取引メッセージで通信され、
前記コンピュータで実現される、取引監視モジュールは、
証券取引に関連する取引メッセージを受信するためのインタフェースと、
前記インタフェースと通信するように構成されている、コンピュータで実現される抽出部であって、取引メッセージを受信して、前記取引メッセージの前記取引パラメータデータに基づいて、取引パラメータ値を抽出するための、コンピュータで実現される抽出部と、
前記コンピュータで実現される抽出部に関連付けられている、コンピュータで読み書き可能な複数のメモリと、
前記複数のメモリと通信するように構成されている、コンピュータで実現される書込ユニットであって、前記複数のメモリそれぞれに対する開始時刻と停止時刻の間の時間中に抽出される取引パラメータ値を累積するために、前記複数のメモリを周期的にかつ順次アクセスするための、コンピュータで実現される書込ユニットと、
前記複数のメモリと通信するように構成されている、コンピュータで実現される読出ユニットであって、累積取引パラメータ値を前記複数のメモリから読み出すための、コンピュータで実現される読出ユニットと、
前記読出ユニットと通信するように構成されている、コンピュータで実現される判定部であって、前記複数のメモリから読み出される前記累積取引パラメータを利用することによって、直近の取引パラメータを判定するための、コンピュータで実現される判定部とを備え、
前記コンピュータで実現される取引監視用モジュールは、前記直近の取引パラメータに基づいて、参加者の少なくとも１人によって取引される１つ以上の証券の価格の変化に対するリスク・エクスポージャを削減するように構成されている
ことを特徴とする電子取引装置。
【請求項１６】
異なる参加者間で、証券取引パラメータデータを含む取引メッセージで通信される、証券を売買するための注文のマッチングを電子取引装置において監視する方法であって、
前記電子取引装置は、
第１の開始時刻から第１の終了時刻までの証券取引パラメータ値を記憶するための、コンピュータで読み書き可能な第１のメモリと、
第２の開始時刻から第２の終了時刻までの証券取引パラメータ値を記憶するための、コンピュータで読み書き可能な第２のメモリであって、前記第２の開始時刻は前記第１の開始時刻よりも遅れて発生し、かつ、前記第２の終了時刻は前記第１の終了時刻よりも遅れて発生するようになっている第２のメモリと、
前記取引メッセージを受信するためのハードウェアインタフェースと、を備え、
前記方法は、
プロセッサが、前記ハードウェアインタフェースを介して取引メッセージを受信する際に、前記取引メッセージ内の前記証券取引パラメータデータに基づいて証券取引パラメータ値を電子的に判定するステップと、
周期的に、かつ順次、前記第１のメモリと前記第２のメモリとを電子的にアドレス指定するステップと、
前記プロセッサが、前記取引パラメータ値を、前記第１のメモリと前記第２のメモリの内のアドレス指定されているメモリに電子的に追加し、それによって、累積証券取引パラメータ値を作成するステップと、
前記プロセッサが、前記第１のメモリと前記第２のメモリのうちの少なくとも一方のメモリから得られる前記累積証券取引パラメータ値を利用することによって、直近の証券取引パラメータを電子的に判定するステップと、
前記プロセッサが、前記直近の証券取引パラメータを使用して、証券の注文のマッチングを電子的に監視することによって、取引対象の証券の価格の変化に関係する取引に対するリスク・エクスポージャを削減するステップと
を備えることを特徴とする方法。
【請求項１７】
前記方法は、
前記プロセッサが、演算子の使用によって、しきい値を考慮して前記直近の取引パラメータを電子的に評価するステップと、
前記直近の証券取引パラメータが前記評価に基づいて基準を満足する場合、前記プロセッサが、監視アクションを電子的に実行するステップと
を備えることを特徴とする請求項１６に記載の方法。
【請求項１８】
前記監視アクションは、特定の参加者に関する注文の取消を含む
ことを特徴とする請求項１７に記載の方法。
【請求項１９】
前記監視アクションは、取消アクションを含み、
前記プロセッサは、前記注文を削除することによって、または、前記注文を非作動化することによって前記取消アクションを電子的に実行する
ことを特徴とする請求項１７に記載の方法。
【請求項２０】
インタフェースと、プロセッサによって電子的に読み書き可能な複数のメモリとを備える電子取引装置において、参加者間で、取引パラメータデータを含む、証券取引に関連する取引メッセージで通信される、証券を売買するための注文のマッチングを監視するためのコンピュータライズされた方法であって、
前記プロセッサが、前記取引メッセージの前記取引パラメータデータに基づいて、取引パラメータ値を電子的に抽出するステップと、
前記プロセッサが、前記複数のメモリそれぞれに対する開始時刻と停止時刻の間の時間中に抽出される取引パラメータ値を累積するために前記複数のメモリを周期的にかつ順次電子的にアドレス指定するステップと、
前記プロセッサが、累積取引パラメータ値を前記複数のメモリから電子的に読み出すステップと、
前記プロセッサが、前記複数のメモリから読み出される前記累積取引パラメータを利用することによって、直近の取引パラメータを電子的に判定するステップと、
前記プロセッサが、前記直近の取引パラメータに基づいて、参加者の少なくとも１人によって取引される１つ以上の証券の価格の変化に対するリスク・エクスポージャを電子的に削減するステップと
を備えることを特徴とする方法。
【請求項２１】
請求項１６に記載の方法をコンピュータに実行させるためのプログラムを記憶していることを特徴とする記憶媒体。
【請求項２２】
前記複数のメモリは、３つ以上の複数のメモリのループを含み、
前記コンピュータシステムは、前記ループ内の複数のメモリそれぞれに記憶されている前記累積取引パラメータ値（群）に基づいて、該複数のメモリそれぞれに対する前記直近の取引パラメータを計算するように構成されている
ことを特徴とする請求項１に記載のコンピュータシステム。
【請求項２３】
前記複数のメモリは、３つ以上の複数のメモリのループを含み、
前記コンピュータシステムは、前記ループ内の複数のメモリそれぞれに記憶されている前記累積取引パラメータ値（群）に基づいて、該複数のメモリそれぞれに対する前記直近の取引パラメータを計算するように構成されている
ことを特徴とする請求項２に記載のコンピュータシステム。
【請求項２４】
前記複数のメモリは、３つ以上の複数のメモリのループを含み、
前記電子取引装置は、前記ループ内の複数のメモリそれぞれに記憶されている前記累積取引パラメータ値（群）に基づいて、該複数のメモリそれぞれに対する前記直近の取引パラメータを計算するように構成されている
ことを特徴とする請求項１５に記載の電子取引装置。
【請求項２５】
前記電子取引装置は、３つ以上の複数のメモリのループを含み、
前記方法は、プロセッサが、前記ループ内の複数のメモリそれぞれに記憶されている前記累積取引パラメータ値（群）に基づいて、該複数のメモリそれぞれに対する前記直近の取引パラメータを計算するように構成されている
ことを特徴とする請求項２０に記載の方法。
【請求項２６】
前記電子取引装置は、３つ以上の複数のメモリのループを含み、
前記方法は、プロセッサが、前記ループ内の複数のメモリそれぞれに記憶されている前記累積取引パラメータ値（群）に基づいて、該複数のメモリそれぞれに対する前記直近の取引パラメータを電子的に計算するステップを更に備える
ことを特徴とする請求項１６に記載の方法。
【請求項２７】
前記複数のメモリのそれぞれは、周期的にアドレス指定され、
従前の開始時刻と停止時刻の間の時間中に前記メモリに記憶されている古い取引パラメータ値の位置に新しい取引パラメータ値が記憶される
ことを特徴とする請求項２２に記載のコンピュータシステム。
【請求項２８】
前記複数のメモリのそれぞれは、周期的にアドレス指定され、
従前の開始時刻と停止時刻の間の時間中に前記メモリに記憶されている古い取引パラメータ値の位置に新しい取引パラメータ値が記憶される
ことを特徴とする請求項２３に記載のコンピュータシステム。
【請求項２９】
前記複数のメモリのそれぞれは、周期的にアドレス指定され、
従前の開始時刻と停止時刻の間の時間中に前記メモリに記憶されている古い取引パラメータ値の位置に新しい取引パラメータ値が記憶される
ことを特徴とする請求項２４に記載のコンピュータシステム。
【請求項３０】
前記複数のメモリのそれぞれは、周期的にアドレス指定され、
従前の開始時刻と停止時刻の間の時間中に前記メモリに記憶されている古い取引パラメータ値の位置に新しい取引パラメータ値が記憶される
ことを特徴とする請求項２５に記載の方法。
【請求項３１】
前記複数のメモリのそれぞれは、周期的にアドレス指定され、
従前の開始時刻と停止時刻の間の時間中に前記メモリに記憶されている古い取引パラメータ値の位置に新しい取引パラメータ値が記憶される
ことを特徴とする請求項２６に記載の方法。